(57)【要約】【課題】ヘッドボードに収納空間を設け、その上に物品を載置可能になるように蓋を配設し、その使用形態において蓋によって収納空間の内外に存在しうるコード類を挟んだりし難いベッドを提供することを解決すべき課題とする。【解決手段】上面の一部に物品の出入口が開口する収納空間Ｓを区画するヘッドボード本体部と、幅方向の両端部に隙間を開けて配設される蓋板２７とを備えるヘッドボードを有し、蓋板２７、前側板２１及び後側板２２は、両端部より内側にて蓋板２７の移動を制限するように係合し、且つ、その最外側を支点として蓋板２７における両端部のそれぞれが下方に移動する向きに回動可能にする規制部２７１ａ〜ｄ、２１１ａ、ｂ及び２２１ｃ、ｄと、それらよりも外側のそれぞれに設けられ、蓋板２７を僅かに下方向に回動したときに当接してそれ以上の回動を規制する回動規制部２１４ａ、ｂ及び２２４ｃ、ｄとをもつ。【選択図】図２
2014121441.tif 000002
【特許請求の範囲】
【請求項１】
上面の一部に物品の出入口が開口する収納空間を区画するヘッドボード本体部と、前記収納空間の前記出入口の上部に前記ヘッドボード本体部の幅方向の両端部に隙間を開けて配設される蓋板と、を備えるヘッドボードを有し、
前記ヘッドボード本体部は、
前記収納空間における前記ヘッドボード本体部の前記幅方向に直交する方向である前後方向に対向する対向面を、前方向から区画する前側板、及び後側から区画する後側板をもち、
前記蓋板、前記前側板及び前記後側板は、
前記幅方向における両端部より内側にて前記幅方向及び下方向への前記蓋板の移動を制限するように前記前側板及び前記後側板が前記蓋板に係合し、且つ、前記幅方向における最も外側の位置が前記前側板及び前記後側板において両側共に略同じであり、且つ、その最外側を支点として前記蓋板における前記幅方向の両端部のそれぞれが下方に移動する向きに回動可能にする規制部と、
前記規制部よりも前記幅方向における外側のそれぞれに設けられ、前記規制部の前記最外側のうちで近い方を支点として前記蓋板を下方向に回動したときに当接してそれ以上の回動を規制する回動規制部とをもつ、
ベッド。
【請求項２】
前記収納空間内にはその外部にまでコードを利用して給電可能な給電装置が配設可能であり、
前記蓋板の前記両端部と前記出入口の対向する部分との間の隙間の大きさは、前記蓋板が前記回動規制部に当接するまで回動した状態に至っても前記コードが挟持されない隙間が保持される大きさである請求項１に記載のベッド。
【請求項３】
前記蓋板は、その前記両端の面が上に行くに従い拡幅するように傾斜しており、
前記収納空間の前記出入口の前記蓋板の前記両端が対向する面は、上に行くに従い拡幅するように傾斜している、
請求項２に記載のベッド。
【請求項４】
前記規制部は、前記前側板及び前記後側板から突設された係合凸部と、前記係合凸部の形状に沿って係合可能な凹部であって前記蓋板の下側に設けられた係合凹部とからなる請求項１〜３のうちの何れか１項に記載されたベッド。
【発明の詳細な説明】
【技術分野】
【０００１】
本発明は、ベッドに関し、詳しくはヘッドボードに収納空間を設けたベッドにベッドに関する。
【背景技術】
【０００２】
従来のベッドには、就寝者の頭側にヘッドボードを設けたものがある。ヘッドボードには収納空間や収納棚が設けられることがある。収納空間を設ける場合にはヘッドボードを箱体とし、その上面に物品を出し入れできる出入口を開口させる。その出入口には見栄えの向上や埃除けなどの観点から蓋が設けられることが多い（特許文献１、２など参照）。
【０００３】
特許文献１のベッドでは、ベッドの幅方向に延びる２枚の板と、これらに挟持された複数の板で構成されて内部に収納空間を有する箱状のヘッドボードで、収納空間を覆う蓋板を備え、蓋板はベッド幅方向にスライドして開閉する態様が開示される。特許文献２では、ベッドの幅方向に延びる２枚の板（6、7）と、これらに挟持された複数の板（8、9）で構成されて内部に収納空間を有する箱状のヘッドボードで、収納空間を覆う蓋板（16）を備える。蓋板（16）は上板（10）と上面が面一に設けられ、ヘッドボード内蔵の収納家具と一体にベッド幅方向へ沿って移動する（図２、図３）。上板（10）と蓋板（16）が面一のためヘッドボード上面全体を有効に使用できる。上板（10）、蓋板（16）に蝶番が付く態様（図６、図７）も開示されている。
【０００４】
近年、携帯電話などの携帯型情報機器などの普及に伴い、就寝時にもその携帯型情報機器を枕元に置いておくことが増えている。その場合に携帯型情報機器は充電などを行う場合がある。これらの用途に対応するために収納空間内に充電を行うための電源が設けられることがあるが（特許文献３など参照）、携帯型情報機器は収納空間内に収納せずにヘッドボードの上などに見えるように置くことがある。その場合にもヘッドボード周辺の美観向上などの観点から充電のための電源を収納空間内から得ることが望まれることもある。
【０００５】
特許文献３では、ベッドの幅方向に延びる２枚の板（21,21）と、これらに挟持された複数の板（23、201、203）で構成されて内部に収納空間を有する箱状のヘッドボードで、収納空間を覆う蓋板205を備える。蓋板205はベッド幅方向にスライドして開閉する。収納空間内には電気機器用のコンセント206を備える。
【先行技術文献】
【特許文献】
【０００６】
【特許文献１】意匠登録１２８９３２２号公報
【特許文献２】実開昭６１−５２９６２号公報
【特許文献３】特開２０１０−２７３７６９号公報
【発明の概要】
【発明が解決しようとする課題】
【０００７】
特許文献１のベッドでは、ヘッドボードの上面に小物を置く場合、蓋上に置いたものが収納空間等へ落下し易い。また、収納空間内にコンセントがあるか不明だが、コンセントがある場合は蓋で携帯電話等の充電器のコードを蓋と開口縁で挟む虞がある。
【０００８】
特許文献２のベッドでは、ヘッドボードの上面に小物を置く場合、蓋上に置いたものが収納家具が納まっていた空間等へ落下しないよう、別の蓋板（17）が必要となる。また、上板（10）、蓋板（16）に蝶番が付く態様では、収納空間内にコンセントがあるか不明だが、コンセントがある場合は蓋で携帯電話等の充電器のコードを蓋と開口縁で挟む虞がある。更に、上板（10）、蓋板（16）に蝶番が付く態様では、収納空間内に蝶番が張り出し、収納空間が小さくなるほか、蓋の開閉により動く蝶番が収納物に当たり、収納物を傷つける虞がある。
【０００９】
特許文献３のベッドでは、ヘッドボードの上面に小物を置く場合、蓋205が覆わない開放部202には小物が置けず、蓋205に置いた小物が開口202へ落下し易い。蓋板205上でも孔205ａから小物が収納空間内へ落下し易い。また、コンセント206に装着した充電器のコードにつないだ携帯電話等を蓋205上に置く場合、蓋205を図３示左隅まで移動させると蓋205と側板23に挟まれる虞がある。更に、蓋を開けたまま使用すると、開口202から収納空間内に埃が侵入し、コンセント206に付着し易い。
【００１０】
本発明は上記実情に鑑み完成したものであり、ヘッドボードに収納空間を設け、その上に物品を載置可能になるように蓋を配設し、その使用形態において蓋によって収納空間の内外に存在しうるコード類を挟んだりし難いベッドを提供することを解決すべき課題とする。
【課題を解決するための手段】
【００１１】
（１）上記課題を解決するベッドは、上面の一部に物品の出入口が開口する収納空間を区画するヘッドボード本体部と、前記収納空間の前記出入口の上部に前記ヘッドボード本体部の幅方向の両端部に隙間を開けて配設される蓋板と、を備えるヘッドボードを有し、
前記ヘッドボード本体部は、
前記収納空間における前記ヘッドボード本体部の前記幅方向に直交する方向である前後方向に対向する対向面を、前方向から区画する前側板、及び後側から区画する後側板をもち、
前記蓋板、前記前側板及び前記後側板は、
前記幅方向における両端部より内側にて前記幅方向及び下方向への前記蓋板の移動を制限するように前記前側板及び前記後側板が前記蓋板に係合し、且つ、前記幅方向における最も外側の位置が前記前側板及び前記後側板において両側共に略同じであり、且つ、その最外側を支点として前記蓋板における前記幅方向の両端部のそれぞれが下方に移動する向きに回動可能にする規制部と、
前記規制部よりも前記幅方向における外側のそれぞれに設けられ、前記規制部の前記最外側のうちで近い方を支点として前記蓋板を下方向に回動したときに当接してそれ以上の回動を規制する回動規制部とをもつ。
【００１２】
蓋板の外部から見える部位に特に開閉のための部材を設けなくても蓋板の端部を下方に押だけで反対側が持ち上がり容易に収納空間への物品の出し入れを容易に行うことができる。その場合に蓋板にはその開閉のための部材を見える位置に設けることが必須で無いため、優れた美観を実現することを優先しても使い勝手が悪くならない。
【００１３】
また、蓋板の両端部には隙間が設けられているため、収納空間内に電源を配設しても、電源コードをその隙間を介して外に引き出すことが可能になり、更には種々の物を予期せずにその隙間で挟み込むおそれが少なくなる。
【００１４】
上述した（１）に開示のベッドは、以下に示す（２）〜（４）のうちの少なくとも１つの構成を採用することができる。
【００１５】
（２）前記収納空間内にはその外部にまでコードを利用して給電可能な給電装置が配設可能であり、
前記蓋板の前記両端部と前記出入口の対向する部分との間の隙間の大きさは、前記蓋板が前記回動規制部に当接するまで回動した状態に至っても前記コードが挟持されない隙間が保持される大きさである。
【００１６】
また、蓋板の両端部には蓋板の開閉によっても収納空間の壁との間にコードを挟み込まないような隙間が設けられているため、収納空間内に電源などの給電装置を配設しても、コードをその隙間を介して外に引き出すことが可能になり、更には種々の物を予期せずにその隙間で挟み込むおそれが少なくなる。
【００１７】
（３）前記蓋板は、その前記両端の面が上に行くに従い拡幅するように傾斜しており、
前記収納空間の前記出入口の前記蓋板の前記両端が対向する面は、上に行くに従い拡幅するように傾斜している。
【００１８】
蓋板の両端の面と、収納空間における蓋板に対向する面とを上に行くに従い幅方向に拡がるように傾斜させることで上から見たときに収納空間内が直接見えなくなる。結果、美観に優れると共に埃が収納空間内に入りにくくなる。
【００１９】
（４）前記規制部は、前記前側板及び前記後側板から突設された係合凸部と、前記係合凸部の形状に沿って係合可能な凹部であって前記蓋板の下側に設けられた係合凹部とからなる。
【００２０】
この形態を採用することにより、製造が容易になる。また、係合凸部と係合凹部とが共に蓋板の下に隠れており、蓋板の上部からは見えないため、優れた美観が実現できる。
【発明の効果】
【００２１】
上述した構成を採用することにより、美観を優先しても蓋板の開閉の機能を実現することができる収納空間をそなえるヘッドボードを有するベッドW提供することができる。
【図面の簡単な説明】
【００２２】
【図１】本実施形態のベッドの概略斜視図である。
【図２】本実施形態のベッドにおけるヘッドボードが備える収納空間の断面図（前後方向のうち後方視）である。
【図３】本実施形態のベッドにおけるヘッドボードが備える収納空間の断面図（幅方向のうち右方視）である。
【図４】本実施形態のベッドにおける蓋板の上面図である。
【図５】本実施形態のベッドにおける蓋板の正面図である。
【図６】本実施形態のベッドにおけるヘッドボードが備える収納空間の使用状態（蓋板が閉じた状態）を示す断面図である。
【図７】本実施形態のベッドにおけるヘッドボードが備える収納空間の使用状態（蓋板が開いた状態）を示す断面図である。
【図８】本実施形態のベッドにおけるヘッドボードが備える収納空間の使用状態（蓋板が閉じた状態）を示す断面図である。
【図９】本実施形態のベッドにおけるヘッドボードが備える収納空間の使用状態（蓋板が開いた状態）を示す断面図である。
【発明を実施するための形態】
【００２３】
本発明のベッドについて以下実施形態に基づき詳細に説明する。説明に用いる図面は模式図で有り、寸法、構造、構成要素の大きさの相対比などの細部については必ずしも発明の必須要素を示すものではなく発明の思想を超えて過剰に権利範囲を制限するものでは無い。
【００２４】
（構成）
本実施形態のベッドは、図１に示すように、マットレスが載置され、使用者が就寝するボトム部１と、そのボトム部１の頭部側に立設されたヘッドボード２とを有する。
【００２５】
ヘッドボード２は箱状の部材であり、図２及び３に示すように、ベッドの前後方向に並設された２枚の板（前側板２１、後側板２２）と、横側板２３ａ、２３ｂと、収納空間側板２４ａ、２４ｂと、収納空間底板２５とを備えるヘッドボード本体部と、その収納空間Ｓに蓋をする蓋板２７とを有する。前側板２１及び後側板２２はボトム部１の幅方向より幅が僅かに大きく、高さ方向に大きな略長方形の板である。前側板２１及び後側板２２の幅方向の端部にて垂直方向の横側板２３ａ及び２３ｂを挟持することにより箱形状を形成している。後側板２２には意匠性向上などの目的により枠２２ａが設けられている。
【００２６】
前側板２１及び後側板２２はその上部から僅かに下側に上板２６ａ及び２６ｂと蓋板２７とが面一になるように水平に配設するように挟持している。上板２６ａ及び２６ｂは前側板２１及び後側板２２の幅方向の両端にそれぞれ配設され、それらの間に蓋板２７が配設される。上板２６ａ及び２６ｂと蓋板２７とが合わさって概ね前側板２１及び後側板２２と同程度の幅になる。
【００２７】
上板２６ａ及び２６ｂのそれぞれにおける内側の端部付近には下方向に向けて収納空間側板２４ａ及び２４ｂが配設される。収納空間側板２４ａ及び２４ｂは上端部にて上板２６ａ及び２６ｂに接するように前側板２１及び後側板２２にて挟持されている。収納空間側板２４ａ及び２４ｂの下端には収納空間底板２５が配設されている。収納空間底板２５は蓋板２７と概ね同程度の幅を持ち、前側板２１及び後側板２２と収納空間側板２４ａ及び２４ｂと合わさって収納空間Ｓを区画する。
【００２８】
図４及び５に示すように、蓋板２７の幅方向の両端面２７ａ及びｂは上方向に向かうに従い拡幅するように斜めになっている。上板２６ａ及び２６ｂの蓋板２７に対向する面（幅方向内側の端面：２６ａ１及び２６ｂ１）は対向する蓋板２７の形状に相補的に倣った形状になっており、具体的には上方向に行くほど上板の端面２６ａ１及び２６ｂ１との間で形成する隙間が拡幅するように斜めになっている。この斜めの程度は特に限定されず、例えば３０°、４５°、６０°程度が挙げられる。また、上から見たときに収納空間Ｓの内部が直接見えにくいように、上板２６ａ及び２６ｂの端部と蓋板２７の端部とが幅方向において重複するような角度及び隙間の大きさを採用することができる。
【００２９】
上板２６ａ及び２６ｂの内側の端面２６ａ１及び２６ｂ１と蓋板２７の端面２７ａ及びｂとの隙間の大きさは適正な大きさに設定される。例えば、電源コードがその隙間を通ったときに蓋板２７により圧迫されない大きさである。この隙間の大きさを電源コードの大きさよりも更に大きめにすることで蓋板２７を開けた後にも圧迫されないようにできる。
【００３０】
蓋板２７は幅方向の端部からある程度内側に進んだ位置であって、ベッドの前後方向の同じ位置のそれぞれに係合凹部２７１ａ〜ｄが設けられている。そして、蓋板２７が閉まっているときにおける前側板２１の係合凹部２７１ａ及びｂが位置する部位に係合凸部２１１ａ及び２１１ｂが突設されている。係合凸部２１１ａ及び２１１ｂは前側板２１に設けられた孔内に端部が一部突出するように埋設された丸棒である。また、蓋板２７が閉まっているときにおける後側板２２の係合凹部２７１ｃ及びｄが位置する部位には係合凸部２２１ｃ及び２２１ｄが突設されている。係合凸部２２１ｃ及び２２１ｄは後側板２２に設けられた孔内に端部が一部突出するように埋設された丸棒である。これらの係合凹部２７１ａ〜ｄと対応する係合凸部２１１ａ、ｂ及び２２１ｃ、ｄとが係合することで規制部として作用し、蓋板２７が収納空間Ｓの上部にて幅方向及び上下方向に移動せずに配設できる。また、係合凹部２７１ａ及び係合凸部２１１ａと、係合凹部２７１ｃ及び係合凸部２２１ｃとを支点として蓋板２７が回動可能（図２において時計回り）である。更に、係合凹部２７１ｂ及び係合凸部２１１ｂと、係合凹部２７１ｄ及び係合凸部２２１ｄとを支点として蓋板２７が反対方向に回動可能（図２において反時計回り）である。それぞれ反対方向への回動は支点にならない係合凹部及び係合凸部が係合して回動の支点が移ることになる。
【００３１】
前側板２１及び後側板２２には係合凸部２１１ａ、ｂ及び２２１ｃ、ｄよりも下方であって且つ幅方向の外側に回動規制部２１４ａ、ｂ及び２２４ｃ、ｄが形成される。回動規制部２１４ａ及び２２４ｃは幅方向及び上下方向において同じ位置に配設される。同様に、回動規制部２１４ｂ及び２２４ｄも幅方向及び上下方向において同じ位置に配設される。回動規制部２１４ａ、ｂ及び２２４ｃ、ｄは前側板２１及び後側板２２に設けられた孔内に端部が一部突出するように埋設された丸棒である。対応する蓋板２７には凹部などは設けておらず、特に設けることを必須としない。
【００３２】
これらの回動規制部２１４ａ、ｂ及び２２４ｃ、ｄが存在するために蓋板２７の回動は制限される。すなわち、蓋板２７が時計回りに回動するときには、蓋板２７の係合凹部２７１ａ、ｃよりも幅方向外側（図２の右方）の部位が、蓋板２７が回動することで回動規制部２１４ａ、ｃに当接し、それ以上の回動を制限する。蓋板２７が反時計回りに回動するときには蓋板２７の反対側が回動規制部２１４ｂ、２２４ｄに当接して回動が制限される。ここで蓋板２７の回動は蓋板２７の両端部近傍を上方向から下方向に向けて押し下げることで行うため、回動規制部２１４ａ、ｂ及び２２４ｃ、ｄが回動の新たな支点にならないように、回動規制部２１４ａ、ｂ及び２２４ｃ、ｄを配設する位置は蓋板２７の幅方向のできるだけ両端に近い位置に設けることが望ましい。回動規制部２１４ａ、ｂ及び２２４ｃ、ｄを設ける位置は、蓋板２７が通常の位置にあるときには蓋板２７に当接せず、蓋板２７がある程度回動した後に蓋板２７に当接する位置に配設する。例えば、蓋板２７が板状で有り、厚みがほぼ一定である場合には規制部を設ける位置よりも下方向に回動規制部を設けることで蓋板２７が回動部により端部が下がったときに回動規制部が当接してそれ以上の回動を制限する。すなわち、蓋板の形状（及び規制部を設ける位置）により、蓋板が回動した後に蓋板が回動規制部に当接する位置が異なることになるため、回動規制部を配設する位置は蓋板の形状及び規制部の形状により適正に選択することになる。回動の程度は蓋板２７の反対側が回動により上に移動したときに操作できる程度にすることが例示できる。
【００３３】
（作用効果）
本実施形態のベッドは上述の構成をもつことから以下の作用効果を発揮する。図６及び８に示すように、収納空間Ｓの上部に蓋板２７を配設することで収納空間Ｓの中身は隠されて外観をすっきりさせることができる。収納空間Ｓの中身には任意の物品を入れておくことができる。例えば、就寝時や就寝前後に必要な物を入れておく。例えば、常に身辺に置いておきたい携帯電話を例に挙げて説明する。携帯電話は充電する必要がある。そのためベッドには、図６〜９に示すように、電源タップ２５１を設けることができる。その場合に電源タップ２５１が直接見えないように収納空間Ｓ内に設けることが望ましい。その時に、携帯電話９３自体はできるだけ手元に近い場所にある方が望ましいため、ヘッドボード２の上板２６ａ又はｂの上に携帯電話９３を置いて、その間を電源コード９２にて接続することが行われる。電源コード９２の先には電源アダプタ９１（図６，７）や電源コンセント９４（図８、９）が設けられる。
【００３４】
ここで、電源コード９２は内部に電線が通してあり、外部からの圧迫により断線が生じるおそれがある。そのため、長期間にわたり継続的に使用するためには、電源コード９２を圧迫しないような工夫を行うことが望ましい。本実施形態のベッドでは蓋板２７にて収納空間Ｓの上部に蓋をしている状態で蓋板２７の端面２７ａ及びｂと、上板２６ａ及び２６ｂの端面２６ａ１及び２６ｂ１との間に隙間が設けられているため、その隙間を介して電源コード９２の収納空間Ｓ内外への配設を行うことができる。更に、蓋板２７の端部は斜めになっているので上から見たときに隙間が形成されていても収納空間Ｓの内部は見ることができず収納空間Ｓの内部の状態にかかわらず美観を保つことができる。
【００３５】
ここで、蓋板２７を開ける場合を考える。蓋板２７を反時計回りに回動させて開けようとするときには蓋板２７の端部（端面２７ｂ側）を上から下方向に向けて押し下げる（方向Ｔ）。すると、蓋板２７は規制部のうち係合凹部２７１ｂ（２７１ｄ）及び係合凸部２１１ｂ（２２１ｄ）を支点として回動する。この回動は蓋板２７が回動規制部２１４ｂ及び２２４ｄに当接することで安定化する（開く）。ここで、蓋板２７の端面２７ｂと上板２６ｂとが形成する隙間の大きさは蓋板２７が開いた状態でも電源コード９２を圧迫しない大きさに設定されているため、電源コード９２には不要な力が加わらず長期間にわたり使用することができる。更に、蓋板２７が開いた状態における隙間の大きさを適正に調節することにより望む大きさの物品を隙間に介在させたまま蓋板２７を開いた状態に保つことができる。
【００３６】
蓋板２７の一端を指で押すと、蓋板２７はその一端側の係合凹部を支点として回動する。結果、蓋板２７が回動して他端が持ち上がり、他端に指をかけて持ち上げることで、蓋板２７を開けることができる。回動規制部２１４ａ、ｂ及び２２４ｃ、ｄの位置を調節することにより蓋板２７の他端の突出量を適宜調整することが可能であり、蓋板２７の開閉を実現する手段として蝶番を採用する場合と比べて収納空間Ｓを大きく取ることができる。また、収納空間Ｓ内に取り付けられる蝶番と比較すると、蓋板２７の開閉に伴って動く蝶番と異なり、収納物を傷つけることが少ない。
【００３７】
また、蓋板２７の回動が回動規制部２１４ａ、ｂ及び２２４ｃ、ｄにより制限されているため、蓋板２７が収納空間Ｓ内に落下するおそれが格段に少なくなる。そして、回動が制限されていることと、蓋板２７と、上板２６ａ及びｂとの間に蓋板２７の回動の操作のための指の挿入ができる大きさの隙間を設けることが必須で無くなったこととが相俟って、上板２６ａ及びｂと蓋板２７との間に上下方向に抜ける隙間を無くすことができ、上板２６ａ及びｂや蓋板２７の上に載せた小物が収納空間Ｓ内へ落下することを抑制できる。
【符号の説明】
【００３８】
１…ボトム部
２…ヘッドボード
２１…前側板    ２２…後側板    ２３ａ、２３ｂ…横側板    ２４ａ、２４ｂ…収納空間側板    ２５…収納空間底板    ２６ａ、２６ｂ…上板    ２７…蓋板
２７１ａ〜ｄ…係合凹部（規制部）    ２１１ａ、ｂ、２２１ｃ、ｄ…係合凸部（規制部）
２１４ａ、ｂ、２２４ｃ、ｄ…回動規制部
【図１】
2014121441.tif 000003
【図２】
2014121441.tif 000004
【図３】
2014121441.tif 000005
【図４】
2014121441.tif 000006
【図５】
2014121441.tif 000007
【図６】
2014121441.tif 000008
【図７】
2014121441.tif 000009
【図８】
2014121441.tif 000010
【図９】
2014121441.tif 000011